(57)【特許請求の範囲】
【請求項１】
冷房・暖房機器または換気機器に取り付ける脱着可能なフィルターと、前記フィルターに吸着面を有する被磁性体を配設し、前記機器から離れたところより遠隔操作によって前記被磁性体を吸着可能にする磁性体を有する操作棒を備え、
前記操作棒は、一端に磁性体保持部を設け、
その磁性体保持部に、前記磁性体を載せ、
非磁性弾性材で前記磁性体と前記磁性体保持部を共に覆う形状で密着保持することを特徴とするフィルター脱着装置。
【請求項２】
前記被磁性体を、フィルターの表面に脱着可能に設けたことを特徴とする請求項１記載のフィルター脱着装置。
【請求項３】
前記被磁性体の反吸着面側に、フィルターに取り付ける固定爪を設け、前記フィルターの桟に前記固定爪を挿入して保持することを特徴とする請求項１または２記載のフィルター脱着装置。
【請求項４】
前記被磁性体または前記フィルターに弾性的に保持して取り付ける締結手段を設けたことを特徴とする請求項１から３のいずれかに記載のフィルター脱着装置。
【請求項５】
前記被磁性体と前記磁性体それぞれの吸着面の吸着位置を合わす吸着位置指定手段を備え、前記被磁性体と前記磁性体とが吸着するとき、吸着位置ずれを防止することができることを特徴とする請求項１から４のいずれかに記載のフィルター脱着装置。
【請求項６】
前記操作棒に前記磁性体と併設した係止ピンを有し、吸着時に前記係止ピンに挿通される係止穴を被磁性体に備えたことを特徴とする請求項１から５のいずれかに記載のフィルター脱着装置。
【請求項７】
前記被磁性体側に前記磁性体を所定の吸着位置に挿入して回動掛止する掛止突起部と、前記磁性体側に前記掛止突起部に挿通して回動掛止する保持受部を設けたことを特徴とする請求項１から５のいずれかに記載のフィルター脱着装置。
【請求項８】
前記磁性体側に前記被磁性体を所定の吸着位置に挿入して回動掛止する掛止突起部と、前記被磁性体側に前記掛止突起部に挿通して回動掛止する保持受部を設けたことを特徴とする請求項７記載のフィルター脱着装置。
【請求項９】
前記操作棒は、棒状の操作取手と、前記操作取手に対して脱着可能で一端に前記磁性体を有する脱着柄部を備えたことを特徴とする請求項１から８のいずれかに記載のフィルター脱着装置。
【請求項１０】
前記操作取手に、前記フィルターと作業者との距離を調節する伸縮締結部を備えたことを特徴とする請求項９記載のフィルター脱着装置。
【請求項１１】
前記磁性体保持部に吸着面と操作棒との角度が自在に変えられる自在接手を有することを特徴とする請求項１から１０のいずれかに記載のフィルター脱着装置。
【請求項１２】
前記操作棒に前記磁性体の外形より大きい埃受け具を設けたことを特徴とする請求項１から１１のいずれかに記載のフィルター脱着装置。
【請求項１３】
冷房・暖房機器または換気機器の鋼板製の点検パネルと、前記機器に取り付ける脱着可能なフィルターと、前記機器から離れたところより遠隔操作によって前記点検パネルと前記フィルターの脱着を行なうフィルター脱着装置であって、前記フィルターに設けた掛止突起部または前記フィルターに配設し非磁性体に設けた掛止突起部と、前記掛止突起部に挿入されて回動掛止する保持受部と、前記点検パネルを吸着する磁性体とを設けた操作棒とからなり、前記磁性体にて点検パネルを吸着保持して開閉し、前記保持受部に前記掛止突起部を挿入して前記操作棒を回動することによって前記フィルターを回動係止して脱着することのできることを特徴とするフィルター脱着装置。
【請求項１４】
前記磁性体側に前記非磁性体を所定の保持位置に挿入して回動掛止する前記掛止突起部と、前記被磁性体側に前記掛止突起部に挿通して回動掛止する保持受部を設けたことを特徴とする請求項１３記載のフィルター脱着装置。
【発明の詳細な説明】
【０００１】
【発明の属する技術分野】
本発明は、天井または側壁に設けた冷房・暖房機器または換気機器のメンテナンス・点検等を行なうに際する遠隔操作の作業に関するものである。
【０００２】
【従来の技術】
従来、例えば高所に設置された機器の内蔵フィルターの洗浄をおこなう際のフィルターの離脱および装着手段としては、特開平９−４８７４号公報に示される形態のものが提案されている。この手段は、ファンコイルユニットの長方形の点検パネルの長辺部をその一端を支点として他端を揺動自在に開き、パネルを床方向に下げることにより、パネルに内蔵したフィルターを床で作業している作業者の手の届く位置まで下げてフィルターを離脱・着装するものである。
【０００３】
【発明が解決しようとする課題】
従来のように、パネルの短辺部を支点として長辺部を床方向に下げて作業者の手の届く位置まで下げた時にパネルに内蔵したフィルターを脱着する。
【０００４】
この場合、小型タイプ（パネル寸法が８０ｃｍクラス）のファンコイルユニットを設置されたり、また、大型タイプのファンコイル機器でも、天井が高いオフィス又はロビー等の部屋では、パネルを下ろしてきたときにパネルに内蔵したフィルターに手が届かずフィルターを脱着できないため、脚立を併用しなければならず、脚立を補助として持ち運びながらの作業を行なっていた。
【０００５】
また、ファンコイルユニットのパネルが床面方向に降りてくる際、作業者の立ち姿勢近傍に、例えばファイルロッカーや備品などの障害物がある場合には、パネルがその障害物に当たる恐れがあり十分に注意して作業を行なう必要があるため、作業が手間どるケースがある。
【０００６】
また、作業者の立ち姿勢近傍に障害物が作業者より高い位置にある場合には、その障害物のためそれ以上パネルが降りてこないため、床面からフィルターの脱着を行なえず、脚立を併用していた。
【０００７】
このように、建物の部屋の天井は高さが異なり、取り付ける機器も小型から大型まで各種となり、また部屋等の空間には各種のファイルロッカーや備品などの置物がある等の機器周辺の空間環境により、一律に作業を行えない場合が多く、フィルターの交換（清掃）作業又は点検作業等をする際、機器周辺の空間環境に左右されることなく簡便に作業のできるメンテナンス装置が必要であるとの課題があった。
【０００８】
また、ファンコイルユニットのパネル表面にパネルを開くための止め具を設けるため、天井面に突起物がでてくるのでデザイン上、違和感があるという課題があった。
【０００９】
また、ファンコイルユニットのフィルター着脱以外のメンテ作業等においても、内部点検時には、脚立を用いて機器面に顔を近づけて内部を覗き込んで確認したり、試運転時やメンテ時に機器の風量を確認したい場合には、脚立に上がり吹き出し口に風速測定部分を当てて計測等より、計測者が上がる脚立を支持してサポートする補佐役を必要とし、作業効率アップが望まれていた。また計測器の足場養生を施すセッティングについても簡便化が望まれていた。
【００１０】
そこで本発明は、床面から点検パネルを長手方向に開閉することなくパネルを開き、かつ内蔵されているフィルターも離脱および装着できるフィルター脱着装置を提供することを目的とする。
【００１１】
また本発明は、天井の高さや機器が異なったり、部屋に障害物があった場合でも、脚立を併用しなくてもよいフィルター脱着装置を提供することを目的とする。
【００１２】
また本発明は、フィルターの洗浄時だけでなく、その他の内部点検時や風速測定時等にも、先端のメンテナンス棒の交換が行なえることを目的とする。
【００１３】
【課題を解決するための手段】
請求項１記載の本発明のフィルター脱着装置は、冷房・暖房機器または換気機器に取り付ける脱着可能なフィルターと、前記フィルターに吸着面を有する被磁性体を配設し、前記機器から離れたところより遠隔操作によって前記被磁性体を吸着可能にする磁性体を有する操作棒を備え、前記操作棒は、一端に磁性体保持部を設け、その磁性体保持部に、前記磁性体を載せ、非磁性弾性材で前記磁性体と前記磁性体保持部を共に覆う形状で密着保持することを特徴とする。
【００１５】
また、フィルター脱着装置は、被磁性体を、フィルターの表面に脱着可能に設けたことを特徴とする。
【００１６】
また、フィルター脱着装置において、被磁性体の反吸着面側に、フィルターに取り付ける固定爪を設け、前記フィルターの桟に前記固定爪を挿入して保持することを特徴とする。
【００１７】
また、フィルター脱着装置において、前記被磁性体または前記フィルターに弾性的に保持して取り付ける締結手段を設けたことを特徴とする。
【００１８】
また、フィルター脱着装置において、被磁性体と磁性体それぞれの吸着面の吸着位置を合わす吸着位置指定手段を備え、被磁性体と磁性体とが吸着するとき、吸着位置ずれを防止することができることを特徴とする。
【００１９】
また、フィルター脱着装置は、前記操作棒に前記磁性体と併設して設けた係止ピンを有し、前記被磁性体と対になる係止穴を被磁性体に備え、前記磁性体と被磁性体を係止させることを特徴とする。
【００２０】
また、フィルター脱着装置は、前記被磁性体側に前記磁性体を所定の吸着位置に挿入して回動掛止する掛止突起部と、前記磁性体側に前記掛止突起部に挿通して回動掛止する保持受部を設けたことを特徴とする。
【００２１】
また、フィルター脱着装置において、磁性体側に被磁性体を所定の吸着位置に挿入して回動掛止する掛止突起部と、被磁性体側に前記掛止突起部に挿通して回動掛止する保持受部を設けたことを特徴とする。
【００２３】
また、フィルター脱着装置は、前記操作棒は、棒状の操作取手と、前記操作取手に対して脱着可能で一端に前記磁性体を有する脱着柄部を備えたことを特徴とする。
【００２４】
また、フィルター脱着装置において、操作取手に、前記フィルターと作業者との距離を調節する伸縮締結部を備えたことを特徴とする。
【００２７】
また、フィルター脱着装置において、磁性体保持部に吸着面と操作棒との角度が自在に変えられる自在接手を有することを特徴とする。
【００２８】
また、フィルター脱着装置は、前記操作棒に前記磁性体の外形より大きい埃受け具を設けたことを特徴とする。
【００３１】
また、フィルター脱着装置は、冷房・暖房機器または換気機器の鋼板製の点検パネルと、前記機器に取り付ける脱着可能なフィルターと、前記機器から離れたところより遠隔操作によって前記点検パネルと前記フィルターの脱着を行なうフィルター脱着装置であって、前記フィルターに設けた掛止突起部または前記フィルターに配設し非磁性体に設けた掛止突起部と、前記掛止突起部に挿入されて回動掛止する保持受部と、前記点検パネルを吸着する磁性体とを設けた操作棒とからなり、前記磁性体にて点検パネルを吸着保持して開閉し、前記保持受部に前記掛止突起部を挿入して前記操作棒を回動することによって前記フィルターを回動係止して脱着することのできることを特徴とする。
【００３２】
また、フィルター脱着装置において、前記磁性体側に前記非磁性体を所定の保持位置に挿入して回動掛止する前記掛止突起部と、前記被磁性体側に前記掛止突起部に挿通して回動掛止する保持受部を設けたことを特徴とする。
【００３７】
【発明の実施の形態】
本発明の第１の実施の形態によるフィルター脱着装置は、冷房・暖房機器または換気機器に取り付ける脱着可能なフィルターと、前記フィルターに吸着面を有する被磁性体を配設し、前記機器から離れたところより遠隔操作によって前記被磁性体を吸着可能にする磁性体を有する操作棒を備え、前記操作棒は、一端に磁性体保持部を設け、その磁性体保持部に、前記磁性体を載せ、非磁性弾性材で前記磁性体と前記磁性体保持部を共に覆う形状で密着保持している。このように、作業者は、磁気の力を利用して、一つの操作棒の遠隔操作にて脚立を使用することなく点検パネルの開閉と、その状態で機器に内蔵しているフィルターを脱着することができる。従って、離れたところからであってもフィルター取り出し作業を行うことが可能となる。
【００３９】
本発明の第２の実施の形態によるフィルター脱着装置は、被磁性体を、フィルターの表面に脱着可能に設けたものである。このように、フィルターから被磁性体を自由に取り外せることができるため、フィルター洗浄時に、鋼板製の被磁性体に錆対策を施さなくてもよく安価な被磁性体を提供できる。
【００４０】
本発明の第３の実施の形態は、フィルター脱着装置において、被磁性体の反吸着面側に、フィルターに取り付ける固定爪を設け、前記フィルターの桟に前記固定爪を挿入して保持したものである。このように、被磁性体にフィルターが有する桟に合う固定爪を設けて、被磁性体を容易に保持させている。
【００４１】
本発明の第４の実施の形態は、フィルター脱着装置において、前記被磁性体または前記フィルターに弾性的に保持して取り付ける締結手段を設けたものである。このように、フィルターに弾性的に取り付く保持具を設けているため、被磁性体を固定又は取りはずすことが簡単におこなえるようになる。
【００４２】
本発明の第５の実施の形態は、フィルター脱着装置において、被磁性体と磁性体それぞれの吸着面の吸着位置を合わす吸着位置指定手段を備え、被磁性体と磁性体とが吸着するとき、吸着位置ずれを防止することができるものである。このように、軸心を合わす凹凸部を設けているため、吸着した際に吸着面がずれることがない。従って、吸着面が半係りで不安定状態になることはない。
【００４３】
本発明の第６の実施の形態によるフィルター脱着装置は、冷房・暖房機器または換気機器に取り付ける脱着可能なフィルターと、前記フィルターに吸着面を有する被磁性体を配設し、前記機器から離れたところより遠隔操作によって前記被磁性体に吸着可能にする磁性体を有する操作棒であって、前記操作棒に前記磁性体と併設して設けた係止ピンを有し、前記被磁性体と対になる係止穴を被磁性体に備え、前記磁性体と被磁性体を係止させたものである。このように、磁性体を被磁性体に吸着した段階で、係止ピンが係止穴に差し込まれた状態となる。従って、万一吸着状態が解除になっても、フィルターは係止ピンにより係合された状態となる。
【００４４】
本発明の第７の実施の形態によるフィルター脱着装置は、冷房・暖房機器または換気機器に取り付ける脱着可能なフィルターと、前記フィルターに吸着面を有する被磁性体を配設し、前記機器から離れたところより遠隔操作によって前記被磁性体に吸着可能にする磁性体を有する操作棒であって、前記被磁性体側に前記磁性体を所定の吸着位置に挿入して回動掛止する掛止突起部と、磁性体側に前記掛止突起部に挿通して回動掛止する保持受部を設けたことを有したものである。このように、磁性体を被磁性体に吸着させる際、掛止突起部を保持受部に挿入して、捻りを加えることにより、万一吸着状態が解除された場合でも、操作棒とフィルターを保持することができる。
【００４５】
本発明の第８の実施の形態によるフィルター脱着装置は、磁性体側に被磁性体を所定の吸着位置に挿入して回動掛止する掛止突起部と、被磁性体側に前記掛止突起部に挿通して回動掛止する保持受部を設けたものである。このように、磁性体を被磁性体に吸着させる際、掛止突起部を保持受部に挿入して、捻りを加えることにより、万一吸着状態が解除された場合でも、操作棒とフィルターを保持することができる。
【００４７】
本発明の第９の実施の形態によるフィルター脱着装置は、冷房・暖房機器または換気機器に取り付ける脱着可能なフィルターと、前記フィルターに吸着面を有する被磁性体を配設し、前記機器から離れたところより遠隔操作によって前記被磁性体に吸着可能にする磁性体を有する操作棒であって、前記操作棒は、棒状の操作取手と、前記操作取手に対して脱着可能で一端に前記磁性体を有する脱着柄部を備えたものである。これにより、操作棒の先を脱着可能にすることができ、各種の機能を持った脱着柄部と交換可能となる。
【００４８】
本発明の第１０の実施の形態は、操作取手に、前記フィルターと作業者との距離を調節する伸縮締結部を備えたものである。これにより、フィルターが各種の位置に配置されていても、伸縮締結部で距離を調整して解消することができる。
【００５１】
本発明の第１１の実施の形態は、磁性体保持部に吸着面と操作棒との角度が自在に変えられる自在接手を有するものである。これにより、点検パネルの開閉角度に応じて磁性体の向きに追随する。従って、点検パネル開閉がスムーズにおこなえる。また、点検パネルの直下に位置しなく、少しはずれた位置からでも磁性体の面を点検パネル面およびフィルター面に合わすことができる。
【００５２】
本発明の第１２の実施の形態によるフィルター脱着装置は、冷房・暖房機器または換気機器を天井または側壁に取り付ける着脱可能なフィルターと、前記フィルターに吸着面を有する被磁性体を配設し、前記フィルターを前記機器から離れたところより遠隔操作によって前記被磁性体に吸着可能にする磁性体と、前記操作棒に前記磁性体の外形より大きい埃受け具を設けたものである。これにより、フィルターを取り外す際に、フィルターの表面に取り付いている埃の落下を捕手する受け具を設け、埃の落下を防ぐことができる。
【００５５】
本発明の第１３の実施の形態は、冷房・暖房機器または換気機器の鋼板製の点検パネルと、前記機器に取り付ける脱着可能なフィルターと、前記機器から離れたところより遠隔操作によって前記点検パネルと前記フィルターの脱着を行なうフィルター脱着装置であって、前記フィルターに設けた掛止突起部または前記フィルターに配設し非磁性体に設けた掛止突起部と、前記掛止突起部に挿入されて回動掛止する保持受部と、前記点検パネルを吸着する磁性体とを設けた操作棒とからなり、前記磁性体にて点検パネルを吸着保持して開閉し、前記保持受部に前記掛止突起部を挿入して前記操作棒を回動することによって前記フィルターを回動係止して脱着することのできるものである。この形態にあっては、鋼板製の点検パネルを開閉する時には、操作棒の先端に設けた磁性体の吸着力を利用して開閉するが、フィルターの脱着時には、磁性体の吸着力を活用しないものである。
つまり、フィルターおよび被磁性体には、磁性体で吸着するものを備えずに掛止突起を設けて、それを操作棒側の保持受部に挿入して、捻りを加えることにより、フィルターの保持を行うものである。それにより、フィルターに被磁性体を設けない場合でも、１つの操作棒で点検パネルの開閉およびフィルターの脱着操作を可能とする。
【００５６】
本発明の第１４の実施の形態は、前記磁性体側に前記非磁性体を所定の保持位置に挿入して回動掛止する前記掛止突起部と、前記被磁性体側に前記掛止突起部に挿通して回動掛止する保持受部を設けたものである。ここでは、磁性体側に、掛突起を設け、フィルター側の保持受部に挿入して、捻りを加えることにより、フィルターの保持が行える。そして、遠隔操作によりフィルターの脱着操作が可能となる。
【００６１】
【実施例】
以下、本発明の実施の形態について、図面を参照しながら説明する。
【００６２】
図１から図４において全体の実施構成、図５から図１１においてフィルター脱着装置の被磁性体に関連する部分について、図１２から図１３において非磁性体に関連する部分について、図１４から図１７においてフィルター脱着装置の操作棒に関連する部分について、図１８で同フィルター脱着装置の埃受け具について、図１９から図２０において磁性体を使用しないフィルター脱着装置について、また図２１から図２４においてはその他各種のメンテナンス機器について以下に説明する。
【００６３】
（実施例１）
先ずフィルター脱着装置の全体構成について図１から図４に基づいて説明する。図１は本発明の一実施例によるフィルター脱着装置の点検パネルとフィルターの吸着保持状態を示す概略図、図２は同フィルター脱着装置の点検パネルに操作棒を吸着させた状態を示す概略図、図３は同フィルター脱着装置のフィルターに被磁性体を装備した状態を示す概略図、図４は同フィルター脱着装置のフィルターのガイドレールにフィルターを収納する概略図である。図１から図４に示すように、ファンコイルユニット１のグリル２は、長手方向に空気吸込口３と、並行して配置した空気吹出口４が設けられている。鋼板製の点検パネル５には、その短辺側に一対の長穴軸受６とＬ字形状の切欠部９を、グリル枠７には、前記長穴軸受６を軸支する回動ピン８と、前記切欠部９に対応する引掛軸部１０を設けてある。そこで、ファンコイルユニット１のフィルター１１を離脱・装着する場合、作業者１４が鋼板製の点検パネル５に磁性体１５を接触させることにより、操作棒１６と点検パネル５は前記磁性体１５の吸着力により保持される。そして、点検パネル５をその短辺方向にスライド移動して、切欠部９の係止部位９ａに引掛軸部１０が位置するとき、点検パネル５は閉じ、切欠部９の開放部位９ｂに引掛軸部１０が位置するとき、点検パネル５は係止が外れて開く。
【００６４】
また、ガイドレール１２には、ガイドレール内壁１２ａにフィルター１１を収納するフィルター受溝１２ｂが設けられ、フィルター１１には、その周壁のフィルター枠１１ａの一片から延出された弾性を有するフィルターバネ部１１ｃと、このフィルターバネ部１１ｃを含む前記フィルター枠１１ａの両端にフィルター鍔１１ｂが設けられた構成となっている。ここで、フィルター１１をガイドレール１２から離脱させる場合には、図４より明らかなように、フィルターバネ部１１ｃの弾性反力により常に前記ガイドレール内壁１２ａを圧接状態でフィルター鍔１１ｂがフィルター受溝１２ｂに収納状態にあるものを、フィルター１１を取出し方向にスライドさせて、フィルター受溝１２ｂからフィルター鍔１１ｂをはずすことにより行なうことができる。また、フィルター１１をガイドレール１２に装着し、点検パネル５を閉める場合には、逆の操作にて行うことができる。
【００６５】
これにより、作業者１４は、一つの操作棒１６の遠隔操作にて脚立を使用することなく点検パネル５の開閉と、その状態で機器に内蔵しているフィルター１１を脱着することが可能となり、機器の直下周辺に障害物があってもフィルター取り出し作業を行うことが可能となる。
【００６６】
なお、本発明は、ファンコイルユニットに限定されるものでなく、熱交換換気扇あるいは天埋形パッケージエアコンなどの天井または高側壁または手の届かない側壁に取り付けられた冷房・暖房機器また換気機器におけるフィルター脱着装置としても適用可能である。
【００６７】
次に、図５から図１１に基づいてフィルター脱着装置のフィルターに設けた被磁性体に関連する部分を説明する。
【００６８】
（実施例２）
図５は同フィルター脱着装置のフィルターと被磁性体の斜視図である。図５に示すように、鋼板で磁気により吸着する円盤状の被磁性体１３は、その被磁性体１３の外周縁に、反吸着面側にＵ形状の固定爪１７を設けている。そして、フィルター１１の表面の中央部分で、フィルター１１の桟１８に、固定爪１７で挟み圧接して固定している。フィルター洗浄等で、被磁性体１３を取り外したい場合には、Ｕ形状の先端を、ペンチ、治具等を用いて開き、フィルター１１から被磁性体１３を取り出す。それにより、フィルター洗浄時に被磁性体１３が錆ないように被磁性体１３を取り外し、フィルター１１のみにして洗浄することができる。
【００６９】
なお、被磁性体１３の材質を鋼板としたが、防錆処理を施してもよく、また、ＳＵＳ４３０を用いてもよく、フィルター洗浄時には、被磁性体１３を付けたまま洗浄してもよい。
【００７０】
（実施例３）
図６は同フィルター脱着装置の爪状の突起部付きフィルターと被磁性体の斜視図である。図６に示すように、フィルター１１に被磁性体１３を弾性的に保持して取り付ける締結手段として、樹脂製の桟１８の線上に樹脂性の突起部１９を２個配設し、その突起部１９の先端の外面には引掛けのあご部２１を有している。そして、被磁性体１３には、両サイドに突起部１９に貫通できる留め穴２０を設けている。ここで、被磁性体１３の留め穴２０を突起部１９に貫通してあご部２１を超えると、留め穴２０のエッジがあご部２１に引掛かって係止し、被磁性体１３はフィルター１１に固定される。また、２個の突起部１９を内方向に引っ張ると、樹脂バネにより２個の留め穴２０から突起部１９が抜けて、被磁性体１３をフィルター１１から取り外すことができる。
【００７１】
（実施例４）
図７は同フィルター脱着装置の軸心合わせの面ずれ防止突起部を有するフィルターと被磁性体の断面図である。図７に示すように、被磁性体１３と磁性体１５それぞれの吸着面の吸着位置を合わす吸着位置指定手段として、フィルター１１の桟１８が十字に交わっている位置に円柱形の面ずれ防止突起部２２と、円柱形状をした磁性体１５には、前記面ずれ防止突起部２２が挿入できるように中央に面ずれ防止穴２４を設けている。ここで、被磁性体１３には、センターに円柱形の外径より大きいセンター穴２３を設け、面ずれ防止突起部２２をセンター穴２３に挿入して被磁性体１３の中央に面ずれ防止突起部２２が突出した状態となっている。
【００７２】
従って、操作棒１６の先端に設けた磁性体１５を被磁性体１３に接触させて吸着しようとする際、磁性体１５の面ずれ防止穴２４と面ずれ防止突起部２２の吸着位置を合わして吸着させると、前記磁性体１５と前記被磁性体１３の吸着面がずれることなく吸着できるようになる。
【００７３】
そのため、吸着位置ずれを防止することができるので、吸着作業を容易におこなうことができる。また、作業中に吸着状態が外れることもなくなる。
【００７４】
なお、面ずれ防止突起部２２はフィルター１１側に設けたが、被磁性体１３の表面に設けてもよい。
【００７５】
（実施例５）
図８は同フィルター脱着装置のフィルターと係止穴を備えた被磁性体の斜視図、図９は同フィルター脱着装置のフィルターの被磁性体の係止穴に係止ピン挿入を示す概略図である。
【００７６】
図８および図９に示すように、鋼板製で円盤形状の被磁性体１３は、二重リングの内輪２５にて固定し、その内輪２５には、磁性体１５の外形を受ける案内壁２６が設けてある。一方、外輪２７には、フィルター１１に固定する複数個の爪２８が設けてある。そして、外輪２７と内輪２５間には複数個の係止穴２９が形成されている。
【００７７】
また、操作棒１６には、先端に設けた磁性体１５の近傍に、磁性体１５から所定寸法の円周上の位置に、係止ピン３０を２つ有する係止具３１を備えている。ここで、係止穴２９と係止ピン３０とは、磁性体１５が被磁性体１３に吸着する際に挿入する寸法関係となっている。
【００７８】
従って、被磁性体１３に磁性体１５を吸着させた後、操作棒１６を操作して、フィルター１１をグリル２から離脱させて床面まで降ろしてくる途中で、磁性体１５に外部振動が加わり、被磁性体１３から磁性体１５が外れた場合でも、係止ピン３０が係止穴２９に挿入した状態を維持するため、フィルター１１が操作棒１６から外れることはない。
【００７９】
なお、二重リングは、樹脂材でもよい。
【００８０】
（実施例６）
図１０は同フィルター脱着装置の吸着保持状態を示す概略図、図１１は同フィルター脱着装置の吸着保持状態を示す断面図である。
【００８１】
図１０および図１１に示すように、フィルター１１の中央の桟１８の交点に、ほぼ逆Ｔ字形の拡幅されたツメ板でＴ字形の両肩をカットした掛止突起部３２を備えている。そして、被磁性体１３は、掛止突起部３２を貫通穴３３に挿入してフィルター１１に固定する。一方、操作棒１６の先端で、ドーナツ形状をした磁性体１５の中空部分に、前記掛止突起部３２が納まる円筒部３２Ａと、被磁性体１３の対面側に、前記掛止突起部３２を挿入する引掛口３４と、挿入して所定角度で回転係止する係止受部３４Ａを形成した保持受部３５を備えている。ここで、操作棒１６でフィルター１１を離脱させるには、磁性体１５を被磁性体１３に近づけ、引掛口３４に掛止突起部３２を挿入させ、吸着させたのち、操作棒１６を６０度回転させて掛止する。これにより、掛止突起部３２を引掛口３４の位置に戻さない限り取りはずことができなくなる。また、フィルター１１の離脱時に引っ掛かり等が生じても堅固な保持がおこなえるため、離脱時にフィルター１１が外れて落ちることもない安全な作業が可能となる。また、逆にフィルター１１を装着する場合においても同様の操作で行える。
【００８２】
なお、回転掛止する所定角度は特に指定するものでなく任意であってよい。
【００８３】
また、掛止突起部３２は、フィルター１１に設けなくても被磁性体１３に設けてもよい。また、掛止突起部３２を操作棒１６側に、保持受部３５を被磁性体１３側に設けてもよい。
【００８４】
続いて、図１４から図１７に基づいてフィルター脱着装置の磁性体を設けた操作棒に関連する部分を説明する。
【００８５】
（実施例７）
図１４は同フィルター脱着装置の脱着柄部を備えた操作棒の概略図である。図１４に示すように、操作棒１６は、先端に設けた磁性体１５を保持している脱着柄部３６と、棒状の操作竿である操作取手３７で構成されている。
【００８６】
これにより、使用時には、磁性体１５を先端に設けた脱着柄部３６を操作棒１６に連結して使用し、使用終了時にはそれを取り外して収納することができる。そのため、収納時にはコンパクトに収納ができる。また、天井等での他の用途に使用する場合には、各種の先端を交換して使用することが可能となる。
【００８７】
（実施例８）
図１５は同フィルター脱着装置の伸縮接手を備えた操作棒の斜視図である。図１５に示すように、操作棒１６には、全長を伸縮して調節する伸縮締結部３８を収めてある。それにより、操作棒１６の長さを調節し、点検パネル５および被磁性体１３と作業者１４との距離関係を適切に保つことで、点検パネル５および被磁性体１３と作業者１４の作業位置の自由度がよくなり、作業の効率アップが図れる。
【００８８】
（実施例９）
図１６は同フィルター脱着装置の磁性体にカバーを取付けた状態を示す斜視図である。図１６に示すように、操作棒１６の磁性体１５を受ける磁性体保持部３９に、前記磁性体１５を載せ、非磁性弾性材４０で前記磁性体１５と前記磁性体保持部３９を共に覆う形状で密着保持している。
【００８９】
これにより、磁性体１５をカバーすると共に、磁性体保持部３９に磁性体１５を固定することができる。従って、磁性体が、作業中や収納時等に他の異物との衝撃で欠けたり、割れたりすることを防止することができる。
【００９０】
なお、この非磁性弾性材４０の材質は、ゴムでもよい。
【００９１】
（実施例１０）
図１７は同フィルター脱着装置の自在継手を備えた脱着柄部の斜視図である。
【００９２】
図１７に示すように、磁性体１５と操作棒１６の連結に際し、磁性体１５の接着面の操作角度を所定角度範囲Ａで操作できるように、自在接手４１を設けて連結している。これより、例えば、作業者１４が点検パネル５を開く際に、点検パネル５の開く角度に合わせて、磁性体１５の接着面を合わすことができるようになるため、点検パネル５を保持しながら衝撃を加えないように開くことができる。また、作業者が点検パネル５の真下に位置できなく、斜めからの作業でも点検パネル５の面に、磁性体１５の面を吸着させることができるので、作業者１４は、機器の直下周辺に障害物があってもフィルター取り出し作業を行うことが可能となる。
【００９３】
（実施例１１）
図１８は同フィルター脱着装置の埃受け具を示す斜視図である。図１８に示すように、磁性体１５の下部位置に、円盤皿形状をし、中心部分が低いすり鉢形状をした埃受け具４２を取り付けている。ここで、操作棒１６の先端に取り付けた磁性体１５をフィルター１１の被磁性体１３に吸着させてフィルター１１を離脱させる際、作業者１４に埃が落下する場合に埃を捕集できる。
【００９４】
また、フィルター１１を装着する際には、埃受け具４２を取りはずしてもよい。
【００９５】
なお、埃受け具４２の材質を透明にすると、フィルター１１の取り外しの際、吸着部分が監視できるために確実な作業を行なうことができる。
【００９６】
（実施例１２）
これまでは、磁性体１５を用いて、点検パネル５の開閉とフィルター１１の脱着を行っていたが、本実施例では、点検パネル５の開閉は磁性体１５を用いるが、フィルター１１の脱着時には、磁気の機能を用いなくても脱着できることを、図１から図４および図１１、図１２、図１３を用いて説明する。
【００９７】
点検パネル５の開閉は、実施例１で説明したものと同一であるため省略する。
【００９８】
図１２には、ほぼ逆Ｔ字形の拡幅されたツメ板でＴ字形の両肩をカットした掛止突起部３２を中央に備えた非磁性体１３Ａを、フィルター１１に固定した状態を示している。ここで、非磁性体１３Ａの材質は、樹脂材またはアルミ材等を使用できる。また図１３には、フィルター１１の中央の桟１８の交点に、ほぼ逆Ｔ字形の拡幅されたツメ板でＴ字形の両肩をカットした掛止突起部３２を備えた状態を示している。一方、操作棒１６の先端で、ドーナツ形状をした磁性体１５の中空部分に、前記掛止突起部３２が納まる円筒部３２Ａと、非磁性体１３Ａの対面側に、前記掛止突起部３２を挿入する引掛口３４と、挿入して所定角度で回転係止する係止受部３４Ａを形成した保持受部３５を備えている。
【００９９】
ここで、操作棒１６でフィルター１１を離脱させるには、掛止突起部３２を非磁性体１３Ａもしくはフィルター１１に直接近づけ、引掛口３４に掛止突起部３２を挿入させ、操作棒１６を６０度回転させて掛止する。そして、掛止突起部３２を引掛口３４の位置に戻さない限り取りはずことができなくなる。これにより、フィルター１１を保持して脱着することができる。そのため、１つの操作棒１６で、点検パネル５の開閉およびフィルター１１の脱着を行うことが可能となる。
【０１００】
なお、回転掛止する所定角度は特に指定するものでなく任意であってよい。
また、掛止突起部３２を操作棒１６側に、保持受部３５を非磁性体１３Ａ側もしくはフィルター１１に設けてもよい。
【０１０１】
（実施例１３）
ここで、本発明の他の実施例として、図１９、図２０に基づいて磁性体と被磁性体を使わないフィルター脱着装置の構成について以下に説明を行う。
【０１０２】
図１９は本発明のその他の実施例によるフィルター脱着装置の点検パネルの係止状態を示す概略図、図２０は同フィルター脱着装置のフィルター保持の概略図である。図１９、図２０に示すように、鋼板製の点検パネル５には、その短辺側に一対の長穴軸受６とＬ字形状の切欠部９を、グリル枠７には、前記長穴軸受６を軸支する回動ピン８と、前記切欠部９に対応する引掛軸部１０が設けてある。そして、点検パネル５の中央部には、開閉穴４３が設けられ、その開閉穴４３は、バネ４４を取り付けたメクラ板４５で塞がれている。また、フィルター１１は、ガイドレール１２に収納され、前記フィルター１１表面には、中央に位置する桟１８の交点部に脱着雌ネジ４６を備えている。一方、作業者１４は、先端に脱着雄ネジ４７を装備した操作棒１６を有している。
【０１０３】
ここで、点検パネル５の開閉をおこなう場合を説明する。作業者１４が点検パネル５の開閉穴４３に脱着雄ネジ４７を挿入すると、通常メクラ板はバネ４４の力で閉じているが、挿入の力により押し上げられ、操作棒１６と点検パネル５は圧接により保持される。そして、圧接保持したまま点検パネル５を横にスライドさせると、点検パネル５の切欠部９が引掛軸部１０から解除になり、点検パネル５が長手方向に開く。
【０１０４】
次に、操作棒１６をフィルター１１表面のセンター位置に取り付いている脱着雌ネジ４６に操作棒１６先端の脱着雄ネジ４７を締めけて保持する。そして、保持状態のまま脱着雄ネジ４７をスライドさせることにより、ガイドレール１２からフィルター１１を取り外すことができる。また、フィルター１１を装着し、パネル５を閉める場合は、逆操作でおこなうことができる。
【０１０５】
これにより、作業者１４は、一つの操作棒１６の遠隔操作にて脚立を使用することなく点検パネル５の開閉と、その状態で機器に内蔵しているフィルター１１を脱着することが可能となり、機器の直下周辺に障害物があってもフィルター取り出し作業を行うことが可能となる。
【０１０６】
なお、本発明は、ファンコイルユニットに限定されるものでなく、熱交換換気扇あるいは天埋形パッケージエアコンなどの天井または高側壁または隔離された側壁に取り付けられた冷房・暖房機器また換気機器におけるフィルター脱着装置としても適用可能である。
【０１０７】
（実施例１４）
次に、図２１から図２４に基づいてその他各種メンテの実施例を説明する。フィルター１１の脱着以外に、ファンコイルユニット１内の、コイル４８やファン４９およびその他の点検する場合がある。ここで、ファンコイルユニット１のフィルター洗浄のために、フィルター１１を着脱するフィルター脱着装置用操作側部材である操作棒１６を基本形とする。そして、その他各種のミラー用脱着柄部や風速計測器用脱着柄部等をセットものとすることができる。
【０１０８】
図２１は同フィルター脱着装置のファンコイルユニットの側面図、図２２はその他各種メンテの実施例によるミラー装置を示す斜視図、図２２は同ミラー装置に照明を付した斜視図である。図２１に示すように、フィルター１１の奥には、コイル４８やファン４９等が内蔵されている。図２２に示すように、操作棒１６の先端部分には、操作取手３７と所定角度を持たせたミラー５０を備えたミラー脱着柄部５１を備えている。また、ミラーの角度は都度自在に変更可能である。
【０１０９】
これにより、作業者１４が下部からファンコイルユニット１の内部のコイル４８やファン４９等の点検を行なう際に、ミラーにて隠蔽部分の点検を行うことが可能となる。
【０１１０】
一方、図２３は、照明５２をミラーの頭部に設けた構成としている。これにより、ファンコイルユニット１の内部にミラー５０を挿入した状態で照明５２にて点検作業をすることができる。従って、懐中電灯を用意しなくても操作棒１６の操作だけで内部点検を容易に行なうことができる。
【０１１１】
また、図２４は同風速装置の風速計測定部を付した斜視図である。図２４には、操作棒１６の先端に風速計測部５３を取り付けた風速計測部脱着柄部５４を備えている。そして、下部の操作棒１６に風速計本体５５と配線５６のジョイト連結をおこなう。これにより、フィルター１１の洗浄後、ファン４９の風量を点検する場合には、操作棒１６に風速計測部脱着柄部５４の取替えを行なって、作業者１４が下部から風速測定を行なうことができる。
【０１１２】
従って、フィルター脱着装置用操作側部材である操作棒１６を基本形とし、その他を各種セットものとして、ミラー脱着柄部５１や風速計測器脱着柄部５４等の部材関係を活用することにより、フィルター洗浄から内部点検及びフィルター交換後の点検まで一貫した点検およびメンテ作業を効率よく行うことができる。
【０１１３】
【発明の効果】
以上の説明から明らかなように本発明によれば、フィルターに被磁性体を取り付け、機器から離れた位置から先端に磁性体を設けた操作棒で遠隔操作することにより、作業者の手の届かないところにあるフィルターを脚立なしで離脱・装着作業を行なうことができる。また、非磁性体にあっても同様の作用効果を生ずるものである。
【０１１４】
また、機器の直下周辺に障害物があってもフィルター取り出し作業を行うことが可能となる。
【０１１５】
また、一つの操作棒で点検パネルの開閉と、機器に内蔵しているフィルターを脱着することが可能となる。
【０１１６】
また本発明によれば、フィルター脱着装置のセットものとして、機器本体内部の点検器具を備えた先端に、ミラー脱着柄部の交換や風速計測部脱着柄部を交換できる構成にしているので、フィルター洗浄時の装着・離脱に合わせて、ミラーにて内部チェックや、風速確認等を行なうことができ、作業効率の向上を図ることができる。
【図面の簡単な説明】
【図１】本発明の一実施例によるフィルター脱着装置の点検パネルとフィルターの吸着保持状態を示す概略図
【図２】同フィルター脱着装置の点検パネルに操作棒を吸着させた状態を示す概略図
【図３】同フィルター脱着装置のフィルターに被磁性体を装備した状態を示す概略図
【図４】同フィルター脱着装置のフィルターのガイドレールにフィルターを収納する概略図
【図５】同フィルター脱着装置のフィルターと被磁性体の斜視図
【図６】同フィルター脱着装置の爪状の突起部付きフィルターと被磁性体の斜視図
【図７】同フィルター脱着装置の軸心合わせの面ずれ防止突起部を有するフィルターと被磁性体の断面図
【図８】同フィルター脱着装置のフィルターと係止穴を備えた被磁性体の斜視図
【図９】同フィルター脱着装置のフィルターの被磁性体の係止穴に係止ピン挿入を示す概略図
【図１０】同フィルター脱着装置の吸着保持状態を示す概略図
【図１１】同フィルター脱着装置の吸着保持状態を示す断面図
【図１２】同フィルター脱着装置の非磁性体保持状態を示す概略図
【図１３】同フィルター脱着装置のフィルター保持状態を示す概略図
【図１４】同フィルター脱着装置の脱着柄部を備えた操作棒の概略図
【図１５】同フィルター脱着装置の伸縮接手を備えた操作棒の斜視図
【図１６】同フィルター脱着装置の磁性体にカバーを取付けた状態を示す斜視図
【図１７】同フィルター脱着装置の自在接手を備えた脱着柄部の斜視図
【図１８】同フィルター脱着装置の埃受け具を示す斜視図
【図１９】本発明のその他の実施例によるフィルター脱着装置の点検パネルの係止状態を示す概略図
【図２０】同フィルター脱着装置のフィルター保持の概略図
【図２１】同フィルター脱着装置のファンコイルユニットの側面図
【図２２】その他各種メンテの実施例によるミラー装置を示す斜視図
【図２３】同ミラー装置に照明を付した斜視図
【図２４】同風速装置の風速計測定部を付した斜視図
【符号の説明】
１      ファンコイルユニット
２      グリル
３      空気吸込口
４      空気吹出口
５      点検パネル
６      長穴軸受
７      グリル枠
８      回動ピン
９      切欠部
９ａ    係止部位
９ｂ    開放部位
１０    引掛軸部
１１    フィルター
１１ａ  フィルター枠
１１ｂ  フィルター鍔
１１ｃ  フィルターバネ部
１２    ガイドレール
１２ａ  ガイドレール内壁
１２ｂ  ガイドレール受溝
１３    被磁性体
１３Ａ  非磁性体
１４    作業者
１５    磁性体
１６    操作棒
１７    固定爪
１８    桟
１９    突起部
２０    留め穴
２１    あご部
２２    面ずれ防止突起部
２３    センター穴
２４    面ずれ防止穴
２５    内輪
２６    案内壁
２７    外輪
２８    爪
２９    係止穴
３０    係止ピン
３１    係止具
３２    掛止突起部
３２Ａ  円筒部
３３    貫通穴
３４    引掛口
３４Ａ  係止受部
３５    保持受部
３６    脱着柄部
３７    操作取手
３８    伸縮締結部
３９    磁性体保持部
４０    非磁性弾性材
４１    自在接手
４２    埃受け具
４３    開閉穴
４４    バネ
４５    メクラ板
４６    脱着雌ネジ
４７    脱着雄ネジ
４８    コイル
４９    ファン
５０    ミラー
５１    ミラー脱着柄部
５２    照明
５３    風速計測部
５４    風速計測部脱着柄部
５５    風速計本体
５６    配線
【図１】
0004130333.tif 000002
【図２】
0004130333.tif 000003
【図３】
0004130333.tif 000004
【図４】
0004130333.tif 000005
【図５】
0004130333.tif 000006
【図６】
0004130333.tif 000007
【図７】
0004130333.tif 000008
【図８】
0004130333.tif 000009
【図９】
0004130333.tif 000010
【図１０】
0004130333.tif 000011
【図１１】
0004130333.tif 000012
【図１２】
0004130333.tif 000013
【図１３】
0004130333.tif 000014
【図１４】
0004130333.tif 000015
【図１５】
0004130333.tif 000016
【図１６】
0004130333.tif 000017
【図１７】
0004130333.tif 000018
【図１８】
0004130333.tif 000019
【図１９】
0004130333.tif 000020
【図２０】
0004130333.tif 000021
【図２１】
0004130333.tif 000022
【図２２】
0004130333.tif 000023
【図２３】
0004130333.tif 000024
【図２４】
0004130333.tif 000025